(57)【要約】【課題】複数の画像を多重表示する際に、高品位な拡大／縮小処理画像を実現出来ると共に、フレームメモリ容量及びフレームメモリに関連するデータ転送量を削減出来る表示制御方法の提供。【解決手段】複数の画像信号をフレームメモリに書き込み（Ｓ２３）、書き込んだ画像信号を読み出して（Ｓ２５）、予め設定された条件に従って合成し、合成した画像信号を表示画面に表示する（Ｓ３１）表示制御方法。複数の画像信号をフレームメモリに書き込む（Ｓ２３）に先立ち、合成することにより表示されなくなる画像信号の部分の表示画面上の位置を、設定された条件に基づき算出し（Ｓ２２）、算出した位置に対応すべき部分を除いた画像信号を、フレームメモリに書き込み（Ｓ２３）、読み出して（Ｓ２５）合成する（Ｓ３１）。【選択図】        図２
2004252009.tif 000002
【特許請求の範囲】
【請求項１】
複数の画像信号をフレームメモリに書き込み、書き込んだ画像信号を読み出して、予め設定された条件に従って合成し、合成した画像信号を表示画面に表示する表示制御方法において、
前記複数の画像信号をフレームメモリに書き込むに先立ち、合成することにより表示されなくなる画像信号の部分の前記表示画面上の位置を、前記条件に基づき算出し、算出した位置に対応すべき部分を除いた画像信号を、前記フレームメモリに書き込み、読み出して合成することを特徴とする表示制御方法。
【請求項２】
複数の画像信号をフレームメモリに書き込み、書き込んだ画像信号を読み出して、予め設定された条件に従って合成し、合成した画像信号を表示画面に表示する表示制御方法において、
前記書き込んだ画像信号をフレームメモリから読み出すに先立ち、合成することにより表示されなくなる画像信号の部分の前記表示画面上の位置を、前記条件に基づき算出し、算出した位置に対応すべき部分を除いた画像信号を、前記フレームメモリから読み出して合成することを特徴とする表示制御方法。
【請求項３】
入力された複数の画像信号をフレームメモリに書き込み、書き込んだ画像信号を読み出して、予め設定された条件に従って合成し、合成した画像信号を表示画面に表示すべく出力する表示制御装置において、
前記複数の画像信号をフレームメモリに書き込むに先立ち、合成することにより表示されなくなる画像信号の部分の前記表示画面上の位置を、前記条件に基づき算出する手段と、該手段が算出した位置に対応すべき部分を除いた画像信号を、前記フレームメモリに書き込む手段とを備え、該手段が書き込んだ画像信号を読み出して合成すべくなしてあることを特徴とする表示制御装置。
【請求項４】
入力された複数の画像信号をフレームメモリに書き込み、書き込んだ画像信号を読み出して、予め設定された条件に従って合成し、合成した画像信号を表示画面に表示すべく出力する表示制御装置において、
前記書き込んだ画像信号をフレームメモリから読み出すに先立ち、合成することにより表示されなくなる画像信号の部分の前記表示画面上の位置を、前記条件に基づき算出する手段と、該手段が算出した位置に対応すべき部分を除いた画像信号を、前記フレームメモリから読み出す手段とを備え、該手段が読み出した画像信号を合成すべくなしてあることを特徴とする表示制御装置。
【請求項５】
入力された画像信号の画像が縮小されて表示されるべきときは、該画像を縮小すべく前記画像信号を処理する手段を更に備え、該手段が処理した画像信号を前記フレームメモリに書き込むべくなしてある請求項３又は４記載の表示制御装置。
【請求項６】
前記フレームメモリから読み出した画像信号の画像が拡大されて表示されるべきときは、該画像を拡大すべく前記画像信号を処理する手段を更に備え、該手段が処理した画像信号により合成すべくなしてある請求項３乃至５の何れかに記載の表示制御装置。
【請求項７】
前記複数の画像信号が合成されて重なる境界部分の前記表示画面上の位置を算出する手段と、該手段が算出した位置に対応して所定画像信号を出力する手段とを更に備え、該手段が出力した所定画像信号を前記位置に表示すべくなしてある請求項３乃至６の何れかに記載の表示制御装置。
【請求項８】
請求項３乃至７の何れかに記載された表示制御装置と、該表示制御装置が出力した画像信号を表示する表示手段とを備えることを特徴とする表示装置。
【発明の詳細な説明】
【０００１】
【発明の属する技術分野】
本発明は、コンピュータ等から入力された複数の画像信号をフレームメモリにそれぞれ書き込み、書き込んだ画像信号をそれぞれ読み出して合成し、合成した画像信号を表示する表示制御方法、表示制御装置、及びこの表示制御装置を備えた表示装置に関するものである。
【０００２】
【従来の技術】
コンピュータ等から入力された複数の画像を多重表示（Ｐｉｃｔｕｒｅ−Ｉｎ−Ｐｉｃｔｕｒｅ）する場合、画像毎に解像度が異なり、画素転送速度が異なることが多いので、一旦、それらの画像信号をフレームメモリに書き込んだ後、読み出して合成し表示する必要がある。また、液晶表示装置のようなフラットパネルディスプレイは、その駆動周波数が固定である為、入力画像の周波数でフレームメモリに書き込み、表示装置の駆動周波数で読み出す、所謂フレームレート変換が必要となる。
【０００３】
従来の表示制御方法では、例えば、図７に示すように、それぞれ入力された２つの画像Ａ，Ｂをフレームメモリ５にそれぞれの入力周波数で書き込み、表示装置の駆動周波数で読み出して、合成画像における各画像の大きさに応じて、各画像を拡大／縮小処理した後合成して表示している。
この場合、合成画像において縮小される画像は、フレームメモリ５に書き込む前に縮小しておき、データの転送量及びフレームメモリに書き込むデータ量が小さくなるようにしている。
【０００４】
【特許文献１】
特開平０８−９３４３号公報
【特許文献２】
特許第２９７０５９２号公報
【特許文献３】
特開平１０−１７７３７４号公報
【特許文献４】
特開２００１−７５５５２号公報
【０００５】
【発明が解決しようとする課題】
上述したような高解像度画面を扱う表示制御方法では、格納するデータ量が多い為、また、コスト面から、フレームメモリとしてＳＤＲＡＭ（Ｓｙｎｃｈｒｏｎｏｕｓ  ＤＲＡＭ）が使用されている。ＳＤＲＡＭでは、書き込みポート及び読み出しポートを共用する為、複数の画像を多重表示する場合、データ転送能力が問題となる。
【０００６】
例えば、フレームメモリの転送能力（７０００Ｍｂｉｔ／ｓ程度）に対して、所謂ＸＧＡ（ｅＸｔｅｎｄｅｄ  Ｇｒａｐｈｉｃｓ  Ａｒｒａｙ；一般的な解像度の呼称）の解像度（１０２４×７６８画素）の場合、１画面当たり、書き込み及び読み出しの為に３１２０Ｍｂｉｔ／ｓの転送能力が必要であり、２画面表示では６２４０Ｍｂｉｔ／ｓの転送能力が必要となる。更に、ＳＸＧＡの解像度（１２８０×１０２４画素）では、１画面当たり、書き込み及び読み出しの為に５２３２Ｍｂｉｔ／ｓの転送能力が必要であり、２画面表示では１０４６４Ｍｂｉｔ／ｓの転送能力が必要となり、フレームメモリの転送能力を超えてしまうという問題がある。
また、データ転送能力においては、デ−タバス幅（データ用端子数）を増加させることは、コスト面で不利である一方、データ用端子当たりのデータ転送能力を上げるには、動作周波数を上げる必要があり、技術的に困難であるという問題がある。
【０００７】
上述したような技術に関連するものとして、特許文献１には、仕様の異なる映像信号を所望の仕様の映像信号に変換する映像信号変換装置が開示されている。特許文献２には、走査変換と同時にピクチャ・イン・ピクチャ処理を行う映像処理方法が開示されている。特許文献３には、複数の異なる画像（例えば、ビット・マップ、グラフィック、スチル・ビデオ画像、静止画像、動画像、背景カラー画像）を同時に表示することが出来るオン・スクリーン・ディスプレイ・システムが開示されている。特許文献４には、ディジタル信号処理による表示画像の拡大・縮小処理を行う画像処理装置が開示されている。
【０００８】
本発明は、上述したような事情に鑑みてなされたものであり、第１，２発明では、複数の画像を多重表示する際に、高品位な拡大／縮小処理画像を実現出来ると共に、フレームメモリ容量及びフレームメモリに関連するデータ転送量を削減出来る表示制御方法を提供することを目的とする。
第３，４発明では、複数の画像を多重表示する際に、フレームメモリ容量及びフレームメモリに関連するデータ転送量を削減出来る表示制御装置を提供することを目的とする。
【０００９】
第５，６発明では、複数の画像を多重表示する際に、高品位な拡大／縮小処理画像を実現出来ると共に、フレームメモリ容量及びフレームメモリに関連するデータ転送量を削減出来る表示制御装置を提供することを目的とする。
第７発明では、複数の画像を多重表示する際に、それらの境界を体裁良く表示出来る表示制御装置を提供することを目的とする。
第８発明では、第３〜７発明に係る表示制御装置の何れかを備える表示装置を提供することを目的とする。
【００１０】
【課題を解決するための手段】
第１発明に係る表示制御方法は、複数の画像信号をフレームメモリに書き込み、書き込んだ画像信号を読み出して、予め設定された条件に従って合成し、合成した画像信号を表示画面に表示する表示制御方法において、前記複数の画像信号をフレームメモリに書き込むに先立ち、合成することにより表示されなくなる画像信号の部分の前記表示画面上の位置を、前記条件に基づき算出し、算出した位置に対応すべき部分を除いた画像信号を、前記フレームメモリに書き込み、読み出して合成することを特徴とする。
【００１１】
この表示制御方法では、複数の画像信号をフレームメモリに書き込み、書き込んだ画像信号を読み出して、予め設定された条件に従って合成し、合成した画像信号を表示画面に表示する。複数の画像信号をフレームメモリに書き込むに先立ち、合成することにより表示されなくなる画像信号の部分の表示画面上の位置を、設定された条件に基づき算出し、算出した位置に対応すべき部分を除いた画像信号を、フレームメモリに書き込み、読み出して合成する。
これにより、複数の画像を多重表示する際に、フレームメモリ容量及びフレームメモリに関連するデータ転送量を削減出来る表示制御方法を実現することが出来る。
【００１２】
第２発明に係る表示制御方法は、複数の画像信号をフレームメモリに書き込み、書き込んだ画像信号を読み出して、予め設定された条件に従って合成し、合成した画像信号を表示画面に表示する表示制御方法において、前記書き込んだ画像信号をフレームメモリから読み出すに先立ち、合成することにより表示されなくなる画像信号の部分の前記表示画面上の位置を、前記条件に基づき算出し、算出した位置に対応すべき部分を除いた画像信号を、前記フレームメモリから読み出して合成することを特徴とする。
【００１３】
この表示制御方法では、複数の画像信号をフレームメモリに書き込み、書き込んだ画像信号を読み出して、予め設定された条件に従って合成し、合成した画像信号を表示画面に表示する。書き込んだ画像信号をフレームメモリから読み出すに先立ち、合成することにより表示されなくなる画像信号の部分の表示画面上の位置を、設定された条件に基づき算出し、算出した位置に対応すべき部分を除いた画像信号を、フレームメモリから読み出して合成する。
【００１４】
これにより、複数の画像を多重表示する際に、フレームメモリに関連するデータ転送量を削減出来る表示制御方法を実現することが出来る。
第１発明と比較して、第２発明では、入力画像から表示されなくなる部分を除くことなくフレームメモリに書き込んでいる為、フレームメモリ容量の削減は期待出来ない。しかし、合成すべき複数の入力画像の周波数が異なると、各画像の走査位置が同期しない為、第１発明のようにフレームメモリへ書き込む際に除くべき画像領域を設定しても、有効なピーク時のデータ転送量の削減は期待出来ない。第２発明は、このような問題を解決する為、前記フレームレート変換後の同期した複数の入力画像から表示されなくなる画像領域を除き、有効なデータ転送量の削減を実現している。
【００１５】
第３発明に係る表示制御装置は、入力された複数の画像信号をフレームメモリに書き込み、書き込んだ画像信号を読み出して、予め設定された条件に従って合成し、合成した画像信号を表示画面に表示すべく出力する表示制御装置において、前記複数の画像信号をフレームメモリに書き込むに先立ち、合成することにより表示されなくなる画像信号の部分の前記表示画面上の位置を、前記条件に基づき算出する手段と、該手段が算出した位置に対応すべき部分を除いた画像信号を、前記フレームメモリに書き込む手段とを備え、該手段が書き込んだ画像信号を読み出して合成すべくなしてあることを特徴とする。
【００１６】
この表示制御装置では、入力された複数の画像信号をフレームメモリに書き込み、書き込んだ画像信号を読み出して、予め設定された条件に従って合成し、合成した画像信号を表示画面に表示すべく出力する。複数の画像信号をフレームメモリに書き込むに先立ち、算出する手段が、合成することにより表示されなくなる画像信号の部分の表示画面上の位置を、設定された条件に基づき算出する。書き込む手段は、算出する手段が算出した位置に対応すべき部分を除いた画像信号を、フレームメモリに書き込み、書き込む手段が書き込んだ画像信号を読み出して合成する。
これにより、複数の画像を多重表示するに際して、フレームメモリ容量及びフレームメモリに関連するデータ転送量を削減出来る表示制御装置を実現することが出来る。
【００１７】
第４発明に係る表示制御装置は、入力された複数の画像信号をフレームメモリに書き込み、書き込んだ画像信号を読み出して、予め設定された条件に従って合成し、合成した画像信号を表示画面に表示すべく出力する表示制御装置において、前記書き込んだ画像信号をフレームメモリから読み出すに先立ち、合成することにより表示されなくなる画像信号の部分の前記表示画面上の位置を、前記条件に基づき算出する手段と、該手段が算出した位置に対応すべき部分を除いた画像信号を、前記フレームメモリから読み出す手段とを備え、該手段が読み出した画像信号を合成すべくなしてあることを特徴とする。
【００１８】
この表示制御装置では、入力された複数の画像信号をフレームメモリに書き込み、書き込んだ画像信号を読み出して、予め設定された条件に従って合成し、合成した画像信号を表示画面に表示すべく出力する。書き込んだ画像信号をフレームメモリから読み出すに先立ち、算出する手段が、合成することにより表示されなくなる画像信号の部分の表示画面上の位置を、設定された条件に基づき算出する。読み出す手段は、算出する手段が算出した位置に対応すべき部分を除いた画像信号を、フレームメモリから読み出し、読み出す手段が読み出した画像信号を合成する。
【００１９】
これにより、複数の画像を多重表示するに際して、フレームメモリに関連するデータ転送量を削減出来る表示制御装置を実現することが出来る。
第３発明と比較して、第４発明では、入力画像から表示されなくなる部分を除くことなくフレームメモリに書き込んでいる為、フレームメモリ容量の削減は期待出来ない。しかし、合成すべき複数の入力画像の周波数が異なると、各画像の走査位置が同期しない為、第３発明のようにフレームメモリへ書き込む際に除くべき画像領域を設定しても、有効なピーク時のデータ転送量の削減は期待出来ない。第４発明は、このような問題を解決する為、前記フレームレート変換後の同期した複数の入力画像から表示されなくなる画像領域を除き、有効なデータ転送量の削減を実現している。
【００２０】
第５発明に係る表示制御装置は、入力された画像信号の画像が縮小されて表示されるべきときは、該画像を縮小すべく前記画像信号を処理する手段を更に備え、該手段が処理した画像信号を前記フレームメモリに書き込むべくなしてあることを特徴とする。
【００２１】
この表示制御装置では、入力された画像信号の画像が縮小されて表示されるべきときは、処理する手段が、その画像を縮小すべく画像信号を処理し、その処理した画像信号をフレームメモリに書き込む。
これにより、複数の画像を多重表示する際に、高品位な縮小処理画像を実現出来ると共に、フレームメモリ容量及びフレームメモリに関連するデータ転送量を削減出来る表示制御装置を実現することが出来る。
【００２２】
第６発明に係る表示制御装置は、前記フレームメモリから読み出した画像信号の画像が拡大されて表示されるべきときは、該画像を拡大すべく前記画像信号を処理する手段を更に備え、該手段が処理した画像信号により合成すべくなしてあることを特徴とする。
【００２３】
この表示制御装置では、フレームメモリから読み出した画像信号の画像が拡大されて表示されるべきときは、処理する手段が、その画像を拡大すべく画像信号を処理し、その処理した画像信号により合成する。
これにより、複数の画像を多重表示する際に、高品位な拡大処理画像を実現出来ると共に、フレームメモリ容量及びフレームメモリに関連するデータ転送量を削減出来る表示制御装置を実現することが出来る。
【００２４】
第７発明に係る表示制御装置は、前記複数の画像信号が合成されて重なる境界部分の前記表示画面上の位置を算出する手段と、該手段が算出した位置に対応して所定画像信号を出力する手段とを更に備え、該手段が出力した所定画像信号を前記位置に表示すべくなしてあることを特徴とする。
【００２５】
この表示制御装置では、算出する手段が、複数の画像信号が合成されて重なる境界部分の表示画面上の位置を算出し、出力する手段が、その算出した位置に対応して所定画像信号を出力し、出力した所定画像信号を算出した位置に表示する。
２つの画像信号の何れかを拡大して合成する際、図８に示すように、元からの画素ａ０〜ａ２，ｂ０〜ｂ２に基づき補間して新しい画素ｃ０〜ｃ２を作成して挿入するが、境界付近では、補間に使用する為の画素ａ３〜ａ５が、画素抜き領域Ｖの画素として除かれてしまうので、新しい画素ｃ３〜ｃ５を作成することが出来ず、境界付近の画素が表示されないという問題がある。
しかし、第７発明により、複数の画像を多重表示する際に、それらの境界を体裁良く表示出来る表示制御装置を実現することが出来る。
【００２６】
第８発明に係る表示装置は、請求項３乃至７の何れかに記載された表示制御装置と、該表示制御装置が出力した画像信号を表示する表示手段とを備えることを特徴とする。
【００２７】
この表示装置では、表示手段が、請求項３乃至７の何れかに記載された表示制御装置が出力した画像信号を表示するので、複数の画像を多重表示するに際して、フレームメモリ容量及びフレームメモリに関連するデータ転送量を削減出来る表示装置を実現することが出来る。
【００２８】
【発明の実施の形態】
以下に、本発明を、その実施の形態を示す図面を参照しながら説明する。
実施の形態１．
図１は、本発明に係る表示制御方法、表示制御装置及び表示装置の実施の形態１の要部構成を示すブロック図である。この表示装置は、入力された複数（ここでは２つ）の画像信号Ａ，Ｂが縮小フィルタ３に与えられ、縮小フィルタ３は、制御部７からの指示に応じて、画像信号Ａ，Ｂの画像が縮小するように、画像信号Ａ，Ｂを処理する。縮小の指示が無い画像信号Ａ，Ｂは、処理せずに通過させる。
【００２９】
入力された画像信号Ａ，Ｂは、入力画像状態検出部４にも与えられ、入力画像状態検出部４は、画像信号Ａ，Ｂの状態を検出して、その結果を制御部７へ通知する。
縮小フィルタ３が出力した画像信号Ａ，Ｂは、フレームメモリ制御部６に与えられ、フレームメモリ制御部６は、制御部７からの指示に従って、画像信号Ａ，Ｂをそれぞれ処理し、フレームメモリ５にそれぞれ書き込む。フレームメモリ制御部６は、書き込んだ画像信号Ａ，Ｂを、制御部７からの指示に従って、フレームメモリ５から読み出し、拡大フィルタ８に与える。
拡大フィルタ８は、制御部７からの指示に応じて、画像信号Ａ，Ｂの画像が拡大するように、画像信号Ａ，Ｂを処理する。拡大の指示が無い画像信号Ａ，Ｂは、処理せずに通過させる。
【００３０】
拡大フィルタ８が出力した画像信号Ａ，Ｂは、合成処理部９に与えられる。
枠画像作成部１０は、制御部７からの指示により、画像信号Ａ，Ｂが合成される際のそれらの境界を表示する枠画像信号を作成し、合成処理部９に与える。
合成処理部９は、与えられた画像信号Ａ，Ｂ及び枠画像信号を、制御部７からの指示に従って合成し表示部２に与える。表示部２は、表示画面を備えており、与えられた画像信号を表示画面に表示する。
制御部７は、操作部１１により設定された条件に従って、上述した各部へ指示信号を与える。
上述した各部の内、表示部２を除く各部は、表示制御装置１を構成している。
【００３１】
以下に、このような構成の表示装置の動作を、それを示す図２のフローチャートを参照しながら説明する。
制御部７は、先ず、図３（ａ）に示すように入力された画像信号Ａ，Ｂの、表示部２の表示画面上の表示順序（前面か背景か）を、操作部１１により設定された条件に基づき決定する（Ｓ２０）。次に、画像信号Ａ，Ｂの画像を縮小処理すべきか否かを判定し（Ｓ２１）、操作部１１によりその画像を縮小するように設定されており、縮小処理すべき画像信号が有れば、図３（ｂ）に示すように、設定された比率により縮小フィルタ３に縮小処理させる（Ｓ２２）。
【００３２】
制御部７は、次に、画像信号Ａ，Ｂを合成し重ねて表示する際に表示されない画素抜き領域の、表示部２の表示画面上の位置を、操作部１１により設定された条件（画像の縮小／拡大を含む）に基づいて算出する（Ｓ２３）。尚、操作部１１は、表示制御装置１上に設けられた操作ボタンのような形態ばかりでなく、表示制御装置１の外部に設けられた、例えばコンピュータ等の外部制御装置の形態でも実現可能である。
【００３３】
制御部７は、画像信号Ａ，Ｂの画像を縮小処理すべきでなければ（Ｓ２１）、縮小処理（Ｓ２２）させることなく、画素抜き領域の、表示部２の表示画面上の位置を算出する（Ｓ２３）。
制御部７は、次に、フレームメモリ制御部６に、図３（ｂ）に示すように、算出した画素抜き領域を除外して、画像信号Ａ，Ｂのフレームメモリ５への書き込み処理をさせ（Ｓ２４）、フレームメモリ５に画像信号Ａ，Ｂを格納させる（Ｓ２５）。
【００３４】
制御部７は、次に、フレームメモリ制御部６に、フレームメモリ５へ格納した画像信号Ａ，Ｂを読み出させ（Ｓ２６）、次いで、図３（ｃ）に示すように読み出された画像信号Ａ，Ｂを、拡大処理すべきか否かを判定する（Ｓ２７）。操作部１１により画像を拡大するように設定されており、拡大処理すべき画像信号が有れば、設定された倍率により拡大フィルタ８に、図３（ｄ）に示すように拡大処理させる（Ｓ２８）。
【００３５】
制御部７は、次に、画像信号Ａ，Ｂを合成し重ねて表示する際にそれらの境界部分の、表示部２の表示画面上の位置を、操作部１１により設定された条件に基づいて算出し、枠画像作成部１０に、算出した位置に対応する「画面枠」の画像信号Ｆを作成させる（Ｓ２９）。
その際、枠画像作成部１０は、図４に示すように、境界部分に対応して、元からの画素ｂ０〜ｂ５及び画素抜き領域Ｖの画素ａ３〜ａ５には関係なく、予め定められた形態の「画面枠」の画像信号Ｆを作成する。
制御部７は、画像信号Ａ，Ｂを拡大処理すべきでなければ（Ｓ２７）、拡大処理（Ｓ２８）させることなく、「画面枠」の画像信号Ｆを作成させる（Ｓ２９）。
【００３６】
制御部７は、次に、前面（子）画面に決定した画像信号（Ｓ２０）のその表示位置を、操作部１１により設定された条件に基づき決定する（Ｓ３０）。
制御部７は、次に、決定した表示順序及び表示位置に基づき、前面（子）画面及び背景（親）画面にそれぞれ決定された画像信号Ａ，Ｂと、枠画像作成部１０が作成した「画面枠」の画像信号Ｆとを、合成処理部９に合成処理させ、表示部２の表示画面に図３（ｅ）に示すように表示させて（Ｓ３１）リターンする。
【００３７】
実施の形態２．
図５は、本発明に係る表示制御方法、表示制御装置及び表示装置の実施の形態２の動作を示すフローチャートである。尚、本実施の形態２の要部構成は、実施の形態１で説明した表示装置の要部構成と同様であるので、説明を省略する。
以下に、本実施の形態２の表示装置の動作を、図２のフローチャートを参照しながら説明する。
制御部７は、先ず、図６（ａ）に示すように、入力された画像信号Ａ，Ｂの、表示部２の表示画面上の表示順序（前面か背景か）を、操作部１１により設定された条件に基づき決定する（Ｓ１）。次いで、入力された画像信号Ａ，Ｂの画像を縮小処理すべきか否かを判定し（Ｓ２）、操作部１１によりその画像を縮小するように設定されており、縮小処理すべき画像信号が有れば、図６（ｂ）に示すように、設定された比率により縮小フィルタ３に縮小処理させる（Ｓ３）。
【００３８】
制御部７は、次に、フレームメモリ制御部６に、画像信号Ａ，Ｂのフレームメモリ５への書き込み処理をさせ（Ｓ４）、フレームメモリ５に画像信号Ａ，Ｂを格納させる（Ｓ５）。
制御部７は、画像信号Ａ，Ｂの画像を縮小処理すべきでなければ（Ｓ２）、縮小処理（Ｓ３）させることなく、フレームメモリ制御部６に、画像信号Ａ，Ｂのフレームメモリ５への書き込み処理をさせる（Ｓ４）。
制御部７は、次に、画像信号Ａ，Ｂを合成し重ねて表示する際に表示されない画素抜き領域の、表示部２の表示画面上の位置を、操作部１１により設定された条件（画像の縮小／拡大を含む）に基づいて算出する（Ｓ６）。
【００３９】
制御部７は、次に、フレームメモリ制御部６に、算出した画素抜き領域の位置（Ｓ６）に対応する画像信号を除外して、フレームメモリ５から画像信号Ａ，Ｂを読み出させ（Ｓ７）、次いで、図６（ｃ）に示すように読み出された画像信号Ａ，Ｂを、拡大処理すべきか否かを判定する（Ｓ８）。操作部により画像を拡大するように設定されており、拡大処理すべき画像信号が有れば、設定された倍率により拡大フィルタ８に、図６（ｄ）に示すように拡大処理させる（Ｓ９）。
【００４０】
制御部７は、次に、画像信号Ａ，Ｂを合成し重ねて表示する際にそれらの境界部分の、表示部２の表示画面上の位置を、操作部により設定された条件に基づいて算出し、枠画像作成部１０に、算出した位置に対応する「画面枠」の画像信号Ｆを作成させる（Ｓ１０）。
その際、枠画像作成部１０は、図４に示すように、境界部分に対応して、元からの画素ｂ０〜ｂ５及び画素抜き領域Ｖの画素ａ３〜ａ５には関係なく、予め定められた形態の「画面枠」の画像信号Ｆを作成する。
制御部７は、画像信号Ａ，Ｂを拡大処理すべきでなければ（Ｓ８）、拡大処理（Ｓ９）させることなく、「画面枠」の画像信号Ｆを作成させる（Ｓ１０）。
【００４１】
制御部７は、次に、前面（子）画面に決定した画像信号（Ｓ１）のその表示位置を、操作部１１により設定された条件に基づき決定する（Ｓ１１）。
制御部７は、次に、決定した表示順序及び表示位置に基づき、前面（子）画面及び背景（親）画面にそれぞれ決定された画像信号Ａ，Ｂと、枠画像作成部１０が作成した「画面枠」の画像信号とを、合成処理部９に合成処理させ、表示部２の表示画面に図６（ｅ）に示すように表示させて（Ｓ１２）リターンする。
【００４２】
【発明の効果】
第１発明に係る表示制御方法によれば、複数の画像を多重表示する際に、フレームメモリ容量及びフレームメモリに関連するデータ転送量を削減出来る表示制御方法を実現することが出来る。
【００４３】
第２発明に係る表示制御方法によれば、複数の画像を多重表示する際に、フレームメモリに関連するデータ転送量を削減出来る表示制御方法を実現することが出来る。また、複数の画像の同期周波数が異なる場合であっても、データ転送量の削減が期待出来る。
【００４４】
第３発明に係る表示制御装置によれば、複数の画像を多重表示するに際して、フレームメモリ容量及びフレームメモリに関連するデータ転送量を削減出来る表示制御装置を実現することが出来る。
【００４５】
第４発明に係る表示制御装置によれば、複数の画像を多重表示するに際して、フレームメモリに関連するデータ転送量を削減出来る表示制御装置を実現することが出来る。また、複数の画像の同期周波数が異なる場合であっても、データ転送量の削減が期待出来る。
【００４６】
第５発明に係る表示制御装置によれば、複数の画像を多重表示する際に、高品位な縮小処理画像を実現出来ると共に、フレームメモリ容量及びフレームメモリに関連するデータ転送量を削減出来る表示制御装置を実現することが出来る。
【００４７】
第６発明に係る表示制御装置によれば、複数の画像を多重表示する際に、高品位な拡大処理画像を実現出来ると共に、フレームメモリ容量及びフレームメモリに関連するデータ転送量を削減出来る表示制御装置を実現することが出来る。
【００４８】
第７発明に係る表示制御装置によれば、複数の画像を多重表示する際に、それらの境界を体裁良く表示出来る表示制御装置を実現することが出来る。
【００４９】
第８発明に係る表示装置によれば、複数の画像を多重表示するに際して、フレームメモリ容量及びフレームメモリに関連するデータ転送量を削減出来る表示装置を実現することが出来る。
【図面の簡単な説明】
【図１】本発明に係る表示制御方法、表示制御装置及び表示装置の実施の形態の要部構成を示すブロック図である。
【図２】本発明に係る表示制御装置及び表示装置の動作の１例を示すフロ−チャート図である。
【図３】本発明に係る表示制御装置及び表示装置の動作を示す説明図である。
【図４】本発明に係る表示制御装置及び表示装置の動作を示す説明図である。
【図５】本発明に係る表示制御装置及び表示装置の動作の１例を示すフロ−チャート図である。
【図６】本発明に係る表示制御装置及び表示装置の動作を示す説明図である。
【図７】従来の表示制御装置及び表示装置の動作を示す説明図である。
【図８】従来の表示制御装置及び表示装置の動作を示す説明図である。
【符号の説明】
１  表示制御装置
２  表示部
３  縮小フィルタ
４  入力画像状態検出部
５  フレームメモリ
６  フレームメモリ制御部
７  制御部
８  拡大フィルタ
９  合成処理部
１０  枠画像作成部
１１  操作部
【図１】
2004252009.tif 000003
【図２】
2004252009.tif 000004
【図３】
2004252009.tif 000005
【図４】
2004252009.tif 000006
【図５】
2004252009.tif 000007
【図６】
2004252009.tif 000008
【図７】
2004252009.tif 000009
【図８】
2004252009.tif 000010